(57)【要約】      （修正有）【課題】薬局発行ラベルが貼付されるページに、薬と一緒に食べる又は飲むことに対して用心すべき食べ物又は飲み物に関する用心情報を簡易に追加することができる薬手帳を提供する。【解決手段】薬手帳１は、表表紙２と、複数枚のラベル貼付用紙４と、用心情報記載紙３と、裏表紙と、複数枚の用心情報記載ラベルと、複数枚の用心情報記載ラベルを保持する保持部とを有する。各ラベル貼付用紙には、薬の服用方法を含む薬情報が記載された薬局発行ラベルが貼付される。用心情報記載紙には、薬と一緒に食べる又は飲むことに対して用心すべき食べ物又は飲み物に関する用心情報が複数の薬のについて記載されている。用心情報記載ラベルは、複数の薬のについて別個に存在するステッカーであって、用心すべき食べ物又は飲み物の情報を含み用心情報の全部又は一部が記載されている。【選択図】図１
0003184394.tif 000002
【実用新案登録請求の範囲】
【請求項１】
表表紙と、
薬局において薬が譲渡される際に前記薬局によって発行されるラベルであって譲渡される薬の服用方法を含む薬情報が記載された薬局発行ラベルが貼付される複数枚のラベル貼付用紙と、
薬と一緒に食べる又は飲むことに対して用心すべき食べ物又は飲み物に関する用心情報が複数の薬のそれぞれについて記載されている用心情報記載紙と、
裏表紙と、
複数の薬のそれぞれについて別個に存在するステッカーであって、前記用心すべき食べ物又は飲み物の情報を含み前記用心情報の全部又は一部が記載されている複数枚の用心情報記載ラベルと、
前記複数枚の用心情報記載ラベルを保持する保持部と
を備える薬手帳。
【請求項２】
薬毎に存在する各前記用心情報は、前記用心すべき食べ物又は飲み物を食べる又は飲むことに対する用心の程度を示す程度情報を含み、前記程度が同じ前記程度情報を含む前記用心情報とは同じ形態により記載され、前記程度が異なる前記程度情報を含む前記用心情報とは異なる形態により記載されている
請求項１に記載の薬手帳。
【請求項３】
前記程度が同じ前記程度情報を含む前記用心情報が記載されている複数枚の前記用心情報記載ラベルは、一枚の台紙に取り外し可能に貼付されており、
前記保持部は、複数枚の前記台紙を保持する
請求項２に記載の薬手帳。
【請求項４】
前記用心情報記載紙は、複数枚存在し、
複数枚の前記用心情報記載紙の一方の面又は双方の面のそれぞれには、複数の薬のうちの互いに重複しない一つの薬についての前記用心情報が記載されており、
前記複数枚のラベル貼付用紙は、前記複数枚の用心情報記載紙よりも前記表表紙寄りに位置した状態で綴じられており、
前記複数枚の用心情報記載ラベルのそれぞれには、用心すべき食べ物又は飲み物が同じ前記用心情報が記載されている前記用心情報記載紙のページ番号が記載されている
請求項１から３のいずれかに記載の薬手帳。
【請求項５】
薬毎に存在する各前記用心情報は、前記用心すべき食べ物又は飲み物を食べる又は飲むことに対する用心の程度を示す程度情報を含み、
前記用心情報記載紙は、複数枚存在し、
前記複数枚のラベル貼付用紙は、複数枚の前記用心情報記載紙よりも前記表表紙寄りに位置した状態で綴じられており、
前記複数枚の用心情報記載紙の一方の面又は双方の面のそれぞれには、複数の薬のうちの互いに重複しない一つの薬についての前記用心情報が記載されており、
前記複数枚の用心情報記載紙のうちの前記程度が最も低いもの以外のそれぞれの外縁の互いに対応する一部分には、前記程度が高い前記程度情報を含む前記用心情報が記載されているものほど大きい切欠きが形成されており、
前記程度が同じ前記程度情報を含む前記用心情報が記載されており前記切欠きが形成されている複数枚の前記用心情報記載紙は、前記切欠きの位置が一致するように重ねられており、
前記程度がより高い前記程度情報を含む前記用心情報が記載されている前記用心情報記載紙は、前記程度がより低い前記程度情報を含む前記用心情報が記載されている前記用心情報記載紙よりも前記表表紙寄りに綴じられている
請求項１に記載の薬手帳。
【考案の詳細な説明】
【技術分野】
【０００１】
本考案は、薬局によって発行されるラベルであって薬の服用方法を含む薬情報が記載された薬局発行ラベルが貼付される薬手帳に関する。
【背景技術】
【０００２】
従来から、病気になった患者は、病院の医師によって診察を受け、医師によって発行された処方箋を持って薬局に行き、薬局において処方箋をもとに薬を購入する。薬局で薬を購入する場合、患者には、薬局から薬と共に薬手帳が譲渡される。薬手帳は、薬局において薬が譲渡される際に薬局によって発行される薬局発行ラベルが貼付される手帳である。薬局発行ラベルには、譲渡される薬の服用方法を含む薬情報が記載される（例えば、特許文献１参照）。
【先行技術文献】
【特許文献】
【０００３】
【特許文献１】特開２０１１−３４３２８号公報
【考案の概要】
【考案が解決しようとする課題】
【０００４】
ところで、薬には、一緒に食べたり飲んだりすると、生命が危険になる状態や体調を崩す状態を生じさせたり、薬の効果が発揮されなくなる事態を生じさせる食べ物や飲み物がある。そのため、患者は、薬を服用する際、用心すべき食べ物又は飲み物に関する用心情報を取得する必要がある。用心情報は、書籍又はウェブサイトにおいてまとめられているが、用心情報を取得することには手間がかかる。薬局発行ラベルが貼付されるページに用心情報を簡易に追加することができる薬手帳が提供されることが望まれている。
【０００５】
本考案は、薬局において薬が譲渡される際に薬局によって発行される薬局発行ラベルが貼付されるページに、その薬と一緒に食べる又は飲むことに対して用心又は注意すべき食べ物又は飲み物に関する用心情報を簡易に追加することができる薬手帳を提供することを目的とする。
【課題を解決するための手段】
【０００６】
本考案のある態様の薬手帳は、表表紙と、複数枚のラベル貼付用紙と、用心情報記載紙と、裏表紙と、複数枚の用心情報記載ラベルと、保持部とを有する。複数枚のラベル貼付用紙のそれぞれには、薬局において薬が譲渡される際に薬局によって発行されるラベルであって譲渡される薬の服用方法を含む薬情報が記載された薬局発行ラベルが貼付される。用心情報記載紙には、薬と一緒に食べる又は飲むことに対して用心すべき食べ物又は飲み物に関する用心情報が複数の薬のそれぞれについて記載されている。用心情報記載ラベルは、複数の薬のそれぞれについて別個に存在するステッカーであって、各用心情報記載ラベルには、用心すべき食べ物又は飲み物の情報を含み用心情報の全部又は一部が記載されている。保持部は、複数枚の用心情報記載ラベルを保持する。
【０００７】
薬毎に存在する各用心情報は、用心すべき食べ物又は飲み物を食べる又は飲むことに対する用心の程度を示す程度情報を含み、程度が同じ程度情報を含む用心情報とは同じ形態により記載され、程度が異なる程度情報を含む用心情報とは異なる形態により記載されてもよい。
【０００８】
程度が同じ程度情報を含む用心情報が記載されている複数枚の用心情報記載ラベルは、一枚の台紙に取り外し可能に貼付されており、保持部は、複数枚の台紙を保持してもよい。
【０００９】
用心情報記載紙は、複数枚存在し、複数枚の用心情報記載紙の一方の面又は双方の面のそれぞれには、複数の薬のうちの互いに重複しない一つの薬についての用心情報が記載されており、複数枚のラベル貼付用紙は、複数枚の用心情報記載紙よりも表表紙寄りに位置した状態で綴じられており、複数枚の用心情報記載ラベルのそれぞれには、用心すべき食べ物又は飲み物が同じ用心情報が記載されている用心情報記載紙のページ番号が記載されてもよい。
【００１０】
薬毎に存在する各用心情報は、用心すべき食べ物又は飲み物を食べる又は飲むことに対する用心の程度を示す程度情報を含み、用心情報記載紙は、複数枚存在し、複数枚のラベル貼付用紙は、複数枚の用心情報記載紙よりも表表紙寄りに位置した状態で綴じられており、複数枚の用心情報記載紙の一方の面又は双方の面のそれぞれには、複数の薬のうちの互いに重複しない一つの薬についての用心情報が記載されており、複数枚の用心情報記載紙のうちの程度が最も低いもの以外のそれぞれの外縁の互いに対応する一部分には、程度が高い程度情報を含む用心情報が記載されているものほど大きい切欠きが形成されており、程度が同じ程度情報を含む用心情報が記載されており切欠きが形成されている複数枚の用心情報記載紙は、切欠きの位置が一致するように重ねられており、程度がより高い程度情報を含む用心情報が記載されている用心情報記載紙は、程度がより低い程度情報を含む用心情報が記載されている用心情報記載紙よりも表表紙寄りに綴じられてもよい。
【考案の効果】
【００１１】
本考案によれば、薬手帳を構成する複数のページのうちの薬局において薬が譲渡される際に薬局によって発行される薬局発行ラベルが貼付されるページに、その薬と一緒に食べる又は飲むことに対して用心すべき食べ物又は飲み物に関する用心情報を簡易に追加することができる。
【図面の簡単な説明】
【００１２】
【図１】本考案の実施の形態における薬手帳の斜視図である。
【図２】図１の表表紙を開いた場合の薬手帳の斜視図である。
【図３Ａ】図１の薬手帳における複数枚の用心情報記載紙のうちのある一つの用心情報記載紙の一方の面の正面図である。
【図３Ｂ】図１の薬手帳における複数枚の用心情報記載紙のうちの別のある一つの用心情報記載紙の一方の面の正面図である。
【図３Ｃ】図１の薬手帳における複数枚の用心情報記載紙のうちの更に別のある一つの用心情報記載紙の一方の面の正面図である。
【図４】図１の薬手帳における複数枚のラベル貼付用紙の最後を開いた状態を示す図である。
【図５】図１の裏表紙を開いた状態を示す薬手帳の斜視図である。
【図６Ａ】図１における複数枚のラベル貼付用紙に貼付される用心情報記載ラベルのうちのあるものを説明するための図である。
【図６Ｂ】図１における複数枚のラベル貼付用紙に貼付される用心情報記載ラベルのうちの別のあるものを説明するための図である。
【図６Ｃ】図１における複数枚のラベル貼付用紙に貼付される用心情報記載ラベルのうちの更に別のあるものを説明するための図である。
【図７】図１における保持部が複数枚の台紙を保持している状態を示す図である。
【図８】本考案の実施の形態における薬手帳の使用方法を説明するための図である。
【考案を実施するための形態】
【００１３】
以下に、本考案の実施の形態について、図面を参照して説明する。まず、本考案の実施の形態における薬手帳１の構成を説明する。図１は、本考案の実施の形態における薬手帳１の斜視図である。図１では、薬手帳１は簡略化して表示されている。薬手帳１は、患者が医師の診察を受けた後に薬局で薬を購入する場合において、薬局において薬が譲渡される際に薬局によって発行される薬局発行ラベルＡが貼付される手帳である。薬局発行ラベルＡには、譲渡される薬の服用方法を含む薬情報が記載される。薬局発行ラベルＡについては、図８を用いて後述する。
【００１４】
尚、本考案に係る薬手帳は、薬と一緒に食べる又は飲むことに対して用心すべき食べ物又は飲み物のみならず、複数の薬の飲み合わせに関する用心・注意情報を記載する。
【００１５】
図１に示す通り、薬手帳１は、表表紙２と、裏表紙３と、複数枚のラベル貼付用紙４と、複数枚の用心情報記載紙５〜７と、ガイド記載紙８とを有する。図１では、図面を簡略化して表示するために、複数枚のラベル貼付用紙４、複数枚の用心情報記載紙５〜７及びガイド記載紙８は、符号「４〜８」が付されて一括して表現されている。複数枚のラベル貼付用紙４、複数枚の用心情報記載紙５〜７及びガイド記載紙８は、表表紙２と裏表紙３とによって挟まれており、それらはいずれも見開き可能に綴じられている。
【００１６】
表表紙２は、薬手帳１の表表紙である。表表紙２の外側の面には、「お薬手帳」という表題が記載されており、その表題は、薬手帳１が、薬局発行ラベルＡが貼付される手帳であることを示している。裏表紙３は、薬手帳１の裏表紙である。薬手帳１は、裏表紙３の内側の面において保持部９を有する。加えて、薬手帳１は、保持部９によって保持される複数枚の用心情報記載ラベルを有する。複数枚の用心情報記載ラベルについては図６Ａ〜８を用いて、保持部９については図５及び７を用いて後述する。
【００１７】
図２は、図１の表表紙２を開いた場合の薬手帳１の斜視図である。複数枚のラベル貼付用紙４のそれぞれは、複数枚の用心情報記載紙５〜７及びガイド記載紙８とは区別して重ねられ、表表紙２の次の位置に位置するように綴じられている。すなわち、複数枚のラベル貼付用紙４は、複数枚の用心情報記載紙５〜７及びガイド記載紙８よりも表表紙２寄りに位置して綴じられている。そのため、図２に示す通り、薬手帳１の表表紙２を開くと、ラベル貼付用紙４が現れる。複数枚のラベル貼付用紙４のそれぞれは、薬局発行ラベルＡが実際に貼付されるものである。例えば、複数枚のラベル貼付用紙４のそれぞれは、白紙又は白紙に罫線が付された紙である。ただし、複数枚のラベル貼付用紙４のそれぞれは、白紙又は白紙に罫線が付された紙に限定されず、白色以外の黄色等の色の紙であってもよい。
【００１８】
図３Ａは、図１の薬手帳１における複数枚の用心情報記載紙５〜７のうちのある一つの用心情報記載紙５の一方の面の正面図である。複数枚の用心情報記載紙５〜７の一方又は双方のそれぞれの面には、複数の薬のうちの互いに重複しない一つの薬について、その薬と一緒に食べる又は飲むことに対して用心すべき食べ物又は飲み物に関する用心情報が記載されている。用心情報は、複数の薬のそれぞれについて存在し、ある一つの薬について、その薬と一緒に食べる又は飲むことに対して用心すべき食べ物又は飲み物に関する情報である。
【００１９】
薬毎に存在する各用心情報は、用心すべき食べ物又は飲み物を食べる又は飲むことに対する用心の程度を示す程度情報を含む。本実施の形態では、用心の程度は、危険、警戒及び注意の三段階である。例えば、危険は、用心すべき食べ物又は飲み物を食べる又は飲むと生命が危険になる可能性があることを示す程度である。警戒は、用心すべき食べ物又は飲み物を食べる又は飲むと体調を崩す可能性があることを示す程度である。注意は、用心すべき食べ物又は飲み物を食べる又は飲むと薬の効果が発揮されない可能性があることを示す程度である。用心の程度は、危険が最も高く、警戒がその次に高く、注意が最も低い。
【００２０】
本願における用心すべき食べ物又は飲み物は、薬と一緒に食べる又は飲むことに対して用心すべき食べ物又は飲み物を意味する。「薬と一緒に食べる又は飲む」ということには、実際に薬と一緒に食べる又は飲むことが含まれることは勿論であるが、食べる又は飲むという行為の前又は後の所定の期間内に薬を服用することも含まれる。所定の期間は、薬毎に臨床試験等の試験によって決定され、例えば３０分である。
【００２１】
図３Ａに示す通り、用心情報記載紙５には、「一緒に食べないで！  降圧剤とグレープフルーツ」という文字列と、「降圧剤とグレープフルーツを一緒に食べると、めまいや頻脈を起こすことがあり危険です。」という文字列とが記載されている。加えて、用心情報記載紙５の下方には、「危険」という文字列と、危険を意味する危険目印５ａとが記載されている。さらに、用心情報記載紙５には、一本の斜線を内部に含む円を有する危険マーク５ｂが記載されている。図３Ａにおける危険マーク５ｂには、グレープフルーツの絵も描画されている。すなわち、図３Ａに示す用心情報記載紙５には、降圧剤とグレープフルーツとを一緒に食べると、生命が危険になる可能性があることを示す用心情報が記載されている。なお、用心情報記載紙５は複数枚存在するが、図３Ａは、複数枚の用心情報記載紙５のうちのある一つの例を示しているに過ぎない。
【００２２】
図３Ｂは、図１の薬手帳１における複数枚の用心情報記載紙５〜７のうちの別のある一つの用心情報記載紙６の一方の面の正面図である。図３Ｂに示す通り、用心情報記載紙６には、「一緒に食べないで！  風邪薬とチーズ」という文字列と、「風邪薬とチーズを一緒に食べると、血圧が上昇してしまうことがあるので警戒が必要です。」という文字列とが記載されている。加えて、用心情報記載紙６の下方には、「警戒」という文字列と、警戒を意味する警戒目印６ａとが記載されている。さらに、用心情報記載紙６には、内部に一本の斜線を含む菱形を有する警戒マーク６ｂが記載されている。図３Ｂにおける警戒マーク６ｂには、チーズの絵も描画されている。すなわち、図３Ｂに示す用心情報記載紙６には、風邪薬とチーズとを一緒に食べると、体調を崩す可能性があることを示す用心情報が記載されている。なお、用心情報記載紙６は複数枚存在するが、図３Ｂは、複数枚の用心情報記載紙６のうちのある一つの例を示しているに過ぎない。
【００２３】
図３Ｃは、図１の薬手帳１における複数枚の用心情報記載紙５〜７のうちの更に別のある一つの用心情報記載紙７の一方の面の正面図である。図３Ｃに示す通り、用心情報記載紙７には、「一緒に食べないで！  風邪薬と甘い食べ物」という文字列と、「風邪薬とケーキ等の甘い食べ物を一緒に食べると、薬の効き目が弱くなってしまうことがあります。」という文字列とが記載されている。加えて、用心情報記載紙７の下方には、「注意」という文字列と、注意を意味する注意目印７ａとが記載されている。さらに、用心情報記載紙７には、内部に一本の斜線を含む正方形の注意マーク７ｂが記載されている。図３Ｃにおける注意マーク７ｂには、甘い食べ物の一例としてのケーキの絵も描画されている。すなわち、図３Ｃに示す用心情報記載紙７には、風邪薬とケーキ等の甘い食べ物とを一緒に食べると、薬の効果が発揮されない可能性があることを示す用心情報が記載されている。なお、用心情報記載紙７は複数枚存在するが、図３Ｃは、複数枚の用心情報記載紙７のうちのある一つの例を示しているに過ぎない。
【００２４】
上述の通り、薬毎に存在する各用心情報は、用心すべき食べ物又は飲み物を食べる又は飲むことに対する用心の程度を示す程度情報を含む。各用心情報は、程度が同じ程度情報を含む用心情報とは同じ形態により記載され、程度が異なる程度情報を含む用心情報とは異なる形態により記載されている。例えば、ある用心情報が危険という程度を示す程度情報を含んでいる場合、その用心情報は、めまいや頻脈を起こすという症状とは異なる症状を発生させる可能性があっても同じ危険という程度を示す程度情報を含む用心情報とは同じ形態により記載される。例えば、上述の形態は、文字の色、目印の色、並びにマークの色及び形が含まれる。目印は、危険目印５ａ、警戒目印６ａ及び注意目印７ａを意味する。マークは、危険マーク５ｂ、警戒マーク６ｂ及び注意マーク７ｂを意味する。
【００２５】
更に具体的に説明する。図３Ａに戻り、例えば、危険という程度を示す程度情報を含む用心情報は、その用心情報を構成する文字列に含まれる各文字、危険目印５ａ及び危険マーク５ｂの一部又は全部が赤色で表現されることにより記載される。それに対して、図３Ｂに戻り、例えば、本実施の形態における三段階の程度うちの警戒という程度を示す程度情報を含む用心情報は、その用心情報を構成する文字列に含まれる各文字、警戒目印６ａ及び警戒マーク６ｂの一部又は全部が黄色で表現されることにより記載される。更に例えば、図３Ｃに戻り、本実施の形態における三段階の程度うちの注意という程度を示す程度情報を含む用心情報は、その用心情報を構成する文字列に含まれる各文字、注意目印７ａ及び注意マーク７ｂの一部又は全部が青色で表現されることにより記載される。
【００２６】
加えて、複数枚の用心情報記載紙５〜７のうちの程度が最も低いもの以外のそれぞれの外縁の互いに対応する一部分には、程度が高い程度情報を含む用心情報が記載されているものほど大きい切欠きが形成されている。図３Ａと図３Ｂとを比較すると明らかな通り、用心情報記載紙５〜６の外縁の図面の右下寄りの部分には、切欠き５ｃ〜６ｃが形成されている。上述の互いに対応する一部分は、例えば図３Ａ及び３Ｂにおける用心情報記載紙５〜６の外縁の右下寄りの部分である。
【００２７】
上述の通り、用心情報記載紙５には、用心の程度が高い「危険」という程度を示す程度情報を含む用心情報が記載されており、用心情報記載紙６には、用心の程度が「危険」より低い「警戒」という程度を示す程度情報を含む用心情報が記載されている。したがって、図３Ａと図３Ｂとを比較すると明らかな通り、用心情報記載紙５における切欠き５ｃは用心情報記載紙６における切欠き６ｃより大きい。なお、図３Ｃに示す通り、用心情報記載紙７には切欠きは形成されていない。
【００２８】
図４は、図１の薬手帳１における複数枚のラベル貼付用紙４の最後を開いた状態を示す図である。図４に示す通り、複数枚のラベル貼付用紙４の最後の紙の裏表紙３寄りの面は、ガイド記載紙８である。すなわち、本実施の形態では、複数枚のラベル貼付用紙４の最後の紙はガイド記載紙８でもあり、その紙の表表紙２寄りの面は複数枚のラベル貼付用紙４のうちの他のものの面と同じ機能を有し、その紙の裏表紙３寄りの面はガイド記載紙８の機能を有する。ガイド記載紙８には、間違った薬の食べあわせを予防するための予防情報が複数枚のラベル貼付用紙４より裏表紙３寄りに含まれていることを示唆する情報が記載されている。なお、「食べあわせ」は、食べあわせそのものを含むことは勿論、飲みあわせも含む。
【００２９】
ガイド記載紙８の次には、複数枚の用心情報記載紙５〜７が続いている。その際、複数枚の用心情報記載紙５は用心情報記載紙６〜７とは区別されて連続し、複数枚の用心情報記載紙６は用心情報記載紙５，７とは区別されて連続し、複数枚の用心情報記載紙７は用心情報記載紙５〜６とは区別されて連続するように、重ねられている。さらに、複数枚の用心情報記載紙５〜７のうちの、上記程度が同じ程度情報を含む用心情報が記載されており切欠きが形成されている複数枚の用心情報記載紙は、切欠きの位置が一致するように重ねられている。すなわち、複数枚の用心情報記載紙５は用心情報記載紙６〜７とは区別されかつ切欠き５ｃの位置が重なるように重ねられており、複数枚の用心情報記載紙６は用心情報記載紙５，７とは区別されかつ切欠き６ｃの位置が重なるように重ねられている。複数枚の用心情報記載紙７も、重ねられている。
【００３０】
加えて、複数枚の用心情報記載紙５〜７のうちの、上記程度がより高い程度情報を含む用心情報が記載されているものは、上記程度がより低い程度情報を含む用心情報が記載されているものよりも表表紙２寄りに綴じられている。すなわち、用心情報記載紙５が用心情報記載紙６よりも表表紙２寄りに位置し、用心情報記載紙６が用心情報記載紙７よりも表表紙２寄りに位置するように、複数枚の用心情報記載紙５〜７はガイド記載紙８の後に綴じられている。
【００３１】
上述の通り、用心情報記載紙５が用心情報記載紙６よりも表表紙２寄りに位置し、用心情報記載紙６が用心情報記載紙７よりも表表紙２寄りに位置するように、複数枚の用心情報記載紙５〜７はガイド記載紙８の後に綴じられている。そのため、図４に示す通り、薬手帳１における複数枚のラベル貼付用紙４の最後を開くと、左側にガイド記載紙８が現れ、右側に複数枚の用心情報記載紙５のうちの先頭のものが現れる。
【００３２】
加えて、図３Ａ及び３Ｂを用いて説明した通り、用心情報記載紙５における切欠き５ｃは用心情報記載紙６における切欠き６ｃより大きい。そのため、薬手帳１における複数枚のラベル貼付用紙４の最後を開くと、図４の右下方に示すように、用心情報記載紙５の次に、上記程度が低い程度情報を含む用心情報が記載されている用心情報記載紙６が続き、その後に上記程度がより低い程度情報を含む用心情報が記載されている用心情報記載紙７が続くことが視覚的に理解することができる。
【００３３】
図５は、図１の裏表紙３を開いた状態を示す薬手帳１の斜視図である。裏表紙３の内側の面より一つ表表紙２寄りの紙は、複数枚の用心情報記載紙７の最後の紙である。図５に示す通り、薬手帳１は、裏表紙３の内側の面において保持部９を有する。保持部９は、裏表紙３よりも小さい帯状の紙等のシートが折り曲げられて裏表紙３の内側の面に設けられたものであって、複数枚の用心情報記載ラベルを保持するものである。用心情報記載ラベルについては、図６Ａ〜７を用いて後述する。
【００３４】
図６Ａは、図１における複数枚のラベル貼付用紙４に貼付される用心情報記載ラベルのうちのあるものを説明するための図である。薬手帳１が有する用心情報記載ラベルは、複数の薬のそれぞれについて別個に存在するステッカーであって、各用心情報記載ラベルには、用心すべき食べ物又は飲み物の情報を含み用心情報の全部又は一部が記載されている。加えて、複数枚の用心情報記載ラベルのそれぞれは、複数枚のラベル貼付用紙４の一つの面に薬局発行ラベルＡが貼付された場合にその面の薬局発行ラベルＡが貼付された領域以外の領域より小さい。さらに、程度が同じ程度情報を含む用心情報が記載されている複数枚の用心情報記載ラベルは、一枚の台紙に取り外し可能に貼付されている。
【００３５】
図６Ａには、４枚の用心情報記載ラベル１０ａ〜１０ｄが表示されており、４枚の用心情報記載ラベル１０ａ〜１０ｄのそれぞれには、「危険」という程度を示す程度情報を含む用心情報が記載されている。４枚の用心情報記載ラベル１０ａ〜１０ｄのそれぞれは、ステッカーであって、一枚の台紙１０に取り外し可能に貼付されている。台紙１０には、台紙１０に貼付されている４枚の用心情報記載ラベル１０ａ〜１０ｄのすべてに「危険」という程度を示す程度情報を含む用心情報が記載されていることを示す危険マーク１００が記載されている。危険マーク１００は、図３Ａにおける危険マーク５ｂと同一又は類似のマークである。
【００３６】
図６Ｂは、図１における複数枚のラベル貼付用紙４に貼付される用心情報記載ラベルのうちの別のあるものを説明するための図である。図６Ｂには、４枚の用心情報記載ラベル１１ａ〜１１ｄが表示されており、４枚の用心情報記載ラベル１１ａ〜１１ｄのそれぞれには、「警戒」という程度を示す程度情報を含む用心情報が記載されている。４枚の用心情報記載ラベル１１ａ〜１１ｄのそれぞれも、ステッカーであって、一枚の台紙１１に取り外し可能に貼付されている。台紙１１には、台紙１１に貼付されている４枚の用心情報記載ラベル１１ａ〜１１ｄのすべてに「警戒」という程度を示す程度情報を含む用心情報が記載されていることを示す警戒マーク１１０が記載されている。警戒マーク１１０は、図３Ｂにおける警戒マーク６ｂと同一又は類似のマークである。
【００３７】
図６Ｃは、図１における複数枚のラベル貼付用紙４に貼付される用心情報記載ラベルのうちの更に別のあるものを説明するための図である。図６Ｃには、４枚の用心情報記載ラベル１２ａ〜１２ｄが表示されており、４枚の用心情報記載ラベル１２ａ〜１２ｄのそれぞれには、「注意」という程度を示す程度情報を含む用心情報が記載されている。４枚の用心情報記載ラベル１２ａ〜１２ｄのそれぞれも、ステッカーであって、一枚の台紙１２に取り外し可能に貼付されている。台紙１２には、台紙１２に貼付されている４枚の用心情報記載ラベル１２ａ〜１２ｄのすべてに「警戒」という程度を示す程度情報を含む用心情報が記載されていることを示す注意マーク１２０が記載されている。注意マーク１２０は、図３Ｃにおける注意マーク７ｂと同一又は類似のマークである。
【００３８】
図６Ａ〜６Ｃに示す通り、各用心情報記載ラベル１０ａ〜１２ｄには「    頁参照」という文字列が記載されている。その文字列は、用心すべき食べ物又は飲み物が同じ用心情報が記載されている用心情報記載紙のページ番号を意味する。図６Ａ〜６Ｃでは、「    頁参照」という文字列が示されているのみで具体的なページ番号は記載されていないが、実際には具体的なページ番号が記載される。
【００３９】
図６Ａ〜６Ｃを用いて説明した通り、複数枚の用心情報記載ラベルのそれぞれは、予め決められた枚数の単位で台紙に取り外し可能に貼付されている。そのため、保持部９は複数枚の台紙を保持し、それによって複数枚の用心情報記載ラベルを保持する。図７は、図１における保持部９が複数枚の台紙１０〜１２を保持している状態を示す図である。
【００４０】
次に、本考案の実施の形態における薬手帳１の使用方法を説明する。図８は、本考案の実施の形態における薬手帳１の使用方法を説明するための図である。患者が医師によって診察を受けた後に薬局で薬を購入する場合、薬局において薬が譲渡される際に薬局によって薬局発行ラベルＡが発行される。薬局発行ラベルＡには、図８に示す通り、薬局において譲渡される薬の服用方法を含む薬情報が記載される。薬情報は、例えば、患者の氏名、調剤日、医療機関、医師、薬局の名称及び薬局の電話番号の情報をも含む。薬局発行ラベルＡは、薬局の薬剤師によって又は患者によってラベル貼付用紙４に貼付される。
【００４１】
薬剤師又は患者は、保持部９によって保持されている複数枚の用心情報記載ラベルのなかから、ラベル貼付用紙４に貼付された薬局発行ラベルＡに記載されている薬の用心情報が記載されている用心情報記載ラベルを探す。薬剤師又は患者は、探し当てた用心情報記載ラベルを台紙から取り外し、薬局発行ラベルＡが貼付されているページにおいて薬局発行ラベルＡと重複しない領域に貼付する。
【００４２】
上述の通り、本実施の形態の薬手帳１は、符号「１０ａ〜１２ｄ」が付されている複数の用心情報記載ラベルを有する。言い換えると、薬手帳１には、複数の用心情報記載ラベルが予め用意されている。複数の用心情報記載ラベルのそれぞれは、複数の薬のそれぞれについて別個に存在するステッカーであって、複数の用心情報記載ラベルのそれぞれには、薬と一緒に食べる又は飲むことに対して用心すべき食べ物又は飲み物の情報を含み用心情報の全部又は一部が記載されている。したがって、本実施の形態の薬手帳１を使用すれば、薬手帳１を構成する複数のページのうちの薬局において薬が譲渡される際に薬局によって発行される薬局発行ラベルが貼付されるページに、薬手帳１に予め用意されていてステッカーである用心情報記載ラベルを貼付するだけで、その薬と一緒に食べる又は飲むことに対して用心すべき食べ物又は飲み物に関する用心情報を簡易に追加することができる。
【００４３】
加えて、本実施の形態における用心情報は、薬と一緒に食べる又は飲む食べ物又は飲み物を食べる又は飲むことに対する用心の程度を示す程度情報を含み、程度が同じ程度情報を含む用心情報とは同じ形態により記載され、程度が異なる程度情報を含む用心情報とは異なる形態により記載される。そのため、用心の程度を視覚的に区別することができる。なお、用心情報は、程度が同じ程度情報を含む用心情報と異なる形態により記載されてもよいし、程度が異なる程度情報を含む用心情報と同じ形態により記載されてもよい。
【００４４】
さらに、本実施の形態では、複数枚の用心情報記載ラベルのそれぞれには、用心すべき食べ物又は飲み物が同じ用心情報が記載されている用心情報記載紙のページ番号が記載されている。そのため、薬手帳１における薬局発行ラベルが貼付されるページに貼付されている用心情報記載ラベルに記載されているページ番号の用心情報記載紙を見れば、詳細な用心情報を取得することができる可能性がある。ただし、用心情報記載ラベルには、用心すべき食べ物又は飲み物が同じ用心情報が記載されている用心情報記載紙のページ番号が記載されていなくてもよい。
【００４５】
なお、上述した実施の形態では、複数枚のラベル貼付用紙４のそれぞれは、複数枚の用心情報記載紙５〜７及びガイド記載紙８とは区別して重ねられ、表表紙２の次の位置に位置するように綴じられている。しかしながら、複数枚のラベル貼付用紙４のそれぞれは、複数枚の用心情報記載紙５〜７及びガイド記載紙８とは区別せずに複数枚の用心情報記載紙５〜７及びガイド記載紙８と重ねられてもよい。加えて、複数枚のラベル貼付用紙４のそれぞれは、表表紙２の次の位置に位置するように綴じられなくてもよい。
【００４６】
上述した実施の形態では、用心の程度は、危険、警戒及び注意の三段階である。しかしながら、用心の程度は、危険、警戒及び注意の三段階に限定されない。
【００４７】
上述した実施の形態では、複数枚の用心情報記載ラベルは一枚の台紙に取り外し可能に貼付されている。しかしながら、複数枚の用心情報記載ラベルのそれぞれは、まとめられることなく互いに独立して存在してもよい。保持部９は、袋状の物あってもよいし、クリップ状のものであってもよい。いずれにしても、保持部９は複数枚の用心情報記載ラベルを保持する。保持部９は、裏表紙３の内側の面に設けられなくてもよく、例えば表表紙２の内側の面に設けられてもよい。
【００４８】
上述した実施の形態では、用心情報記載紙は複数枚存在するが、用心情報記載紙は一枚のみ存在してもよい。
【００４９】
本考案は上述の実施の形態に限定されない。実施の形態は本考案の趣旨に基づき種々の変形が可能であり、変形例は本考案の範囲から排除されない。
【産業上の利用可能性】
【００５０】
本考案は、薬局によって発行されるラベルであって薬の服用方法を含む薬情報が記載された薬局発行ラベルが貼付される薬手帳に関するので、産業上の利用可能性を有する。
【符号の説明】
【００５１】
１  薬手帳
２  表表紙
３  裏表紙
４  ラベル貼付用紙
５〜７  用心情報記載紙
５ａ  危険目印
５ｂ  危険マーク
５ｃ  切欠き
６ａ  警戒目印
６ｂ  警戒マーク
６ｃ  切欠き
７ａ  注意目印
７ｂ  注意マーク
８  ガイド記載紙
９  保持部
１０〜１２  台紙
１０ａ〜１２ｄ  用心情報記載ラベル
１００  危険マーク
１１０  警戒マーク
１２０  注意マーク
Ａ  薬局発行ラベル
【図１】
0003184394.tif 000003
【図２】
0003184394.tif 000004
【図３Ａ】
0003184394.tif 000005
【図３Ｂ】
0003184394.tif 000006
【図３Ｃ】
0003184394.tif 000007
【図４】
0003184394.tif 000008
【図５】
0003184394.tif 000009
【図６Ａ】
0003184394.tif 000010
【図６Ｂ】
0003184394.tif 000011
【図６Ｃ】
0003184394.tif 000012
【図７】
0003184394.tif 000013
【図８】
0003184394.tif 000014
【手続補正書】
【提出日】平成25年4月15日(2013.4.15)
【手続補正１】
【補正対象書類名】図面
【補正対象項目名】図６Ａ
【補正方法】変更
【補正の内容】
【図６Ａ】
0003184394.tif 000015
【手続補正２】
【補正対象書類名】図面
【補正対象項目名】図７
【補正方法】変更
【補正の内容】
【図７】
0003184394.tif 000016
【手続補正３】
【補正対象書類名】図面
【補正対象項目名】図８
【補正方法】変更
【補正の内容】
【図８】
0003184394.tif 000017